(57)【要約】【目的】ディスク種類識別の誤りやディスク種類識別不能となることが少なくなる光ディスク再生装置を提供する。【構成】ＣＤ−ＤＡおよびＣＤ−ＲＯＭの双方のディスクを再生する光ディスク再生装置において、ディスク挿入後、先ず、ＴＯＣ情報の所定トラックのサブコードのコントロールビットを読みＣＤ−ＤＡとＣＤ−ＲＯＭとを識別する情報をメモリに記憶し、次に、データ領域上の指定アドレスのサブコードのコントロールビットを読みその情報がＣＤ−ＤＡを示すときは挿入されたディスクがＣＤ−ＤＡであると判断し、前記データ領域上の指定アドレスのサブコードのコントロールビットの情報がＣＤ−ＲＯＭを示すときは挿入されたディスクがＣＤ−ＲＯＭであると判断し、前記データ領域上の指定アドレスのサブコードのコントロールビットが読込み不能であるときは、前記メモリに記憶されたコントロールビットの情報により挿入されたディスクを識別するように構成した。【選択図】　　　　図２
2004046922.tif 000002
【特許請求の範囲】
【請求項１】
ＣＤ−ＤＡおよびＣＤ−ＲＯＭの双方のディスクを再生する光ディスク再生装置において、ディスク挿入後、先ず、ＴＯＣ情報の所定トラックのサブコードのコントロールビットを読みＣＤ−ＤＡとＣＤ−ＲＯＭとを識別する情報をメモリに記憶し、次に、データ領域上の指定アドレスのサブコードのコントロールビットを読みその情報がＣＤ−ＤＡを示すときは挿入されたディスクがＣＤ−ＤＡであると判断し、前記データ領域上の指定アドレスのサブコードのコントロールビットの情報がＣＤ−ＲＯＭを示すときは挿入されたディスクがＣＤ−ＲＯＭであると判断し、前記データ領域上の指定アドレスのサブコードのコントロールビットが読込み不能であるときは、前記メモリに記憶されたコントロールビットの情報により挿入されたディスクを識別するように構成した光ディスク装置。
【請求項２】
ＣＤ−ＤＡおよびＣＤ−ＲＯＭの双方のディスクを再生する光ディスク再生装置の光ディスク識別方法において、において、ディスク挿入後、先ず、ＴＯＣ情報の所定トラックのサブコードのコントロールビットを読みＣＤ−ＤＡとＣＤ−ＲＯＭとを識別する情報をメモリに記憶し、次に、データ領域上の指定アドレスのサブコードのコントロールビットを読みその情報がＣＤ−ＤＡを示すときは挿入されたディスクがＣＤ−ＤＡであると判断し、前記データ領域上の指定アドレスのサブコードのコントロールビットの情報がＣＤ−ＲＯＭを示すときは挿入されたディスクがＣＤ−ＲＯＭであると判断し、前記データ領域上の指定アドレスのサブコードのコントロールビットが読込み不能であるときは、前記メモリに記憶されたコントロールビットの情報により挿入されたディスクを識別することを特徴とする光ディスク識別方法。
【発明の詳細な説明】
【０００１】
【産業上の利用分野】
この発明は、ＣＤ−ＤＡおよびＣＤ−ＲＯＭの双方のディスクを再生する光ディスク再生装置に係わり、特に、装置にかけられたディスク種別を判定する方法に関する。
【０００２】
【従来の技術】
従来、レーザ光を用いてＣＤ−ＤＡ（コンパクトディスク・デジタルオーディオ）とＣＤ−ＲＯＭ（コンパクトディスク・リードオンリーメモリ）との双方を再生する光ディスク装置が用いられている。この光ディスク装置はＣＤ−ＤＡを再生するときと、ＣＤ−ＲＯＭを再生するときで、データの処理方法が異なるので、ディスクが挿入されると先ず、ディスク種類を判別しなければならない。
【０００３】
ＣＤ−ＤＡおよびＣＤ−ＲＯＭはディスクの目次に相当する情報が内周側（リードインエリア）にＴＯＣ情報として記録され、その外側（プログラムエリア）にトラックナンバー（以下ＴＮＯと記す）で区分されるデータ記録領域が設けられている。ＴＯＣ記録領域およびデータ記録領域にはサブコードが記録されており、サブコードにはＣＤ−ＤＡとＣＤ−ＲＯＭとを区別する４ビットのコントロールビットがある。
【０００４】
コントロールビットが００Ｘ０、１０Ｘ０、００Ｘ１、１０Ｘ１（Ｘは０もしくは１）のときはＣＤ−ＤＡ（オーディオデータ）であり、０１Ｘ０、０１Ｘ１（Ｘは０もしくは１）のときはＣＤ−ＲＯＭ（デジタルデータ）である。従来の装置ではＴＯＣ情報のコントロールビットで判断したり、データ記録領域のコントロールビットで判断したりしていた。
【０００５】
図４によりＴＯＣ情報のコントロールビットで判断する場合の動作を説明する。ディスクが挿入されると、先ず、ステップＳ２１でディスクを起動し、回転速度、トラッキング、フォーカシング等の各サーボをオンとしてステップＳ２２に移行する。
【０００６】
ステップＳ２２ではディスクのＴＯＣ情報を読み、次に、ステップＳ２３において、ＴＯＣ情報のＴＮＯ１のコントロールビットがオーディオデータであるかデジタルデータであるかを判断し、オーディオデータである場合はステップＳ２４に移行し、デジタルデータである場合はステップＳ２６に移行する。
【０００７】
ステップＳ２４では再生機能をＣＤ−ＤＡ再生とし、次にステップＳ２５でＣＤ−ＤＡの再生動作に入る。ステップＳ２６では再生機能をＣＤ−ＲＯＭ再生とし、次にステップＳ２５でＣＤ−ＲＯＭの再生動作に入る。
【０００８】
次に、図５によりデータ記録領域のコントロールビットで判断する場合の動作を説明する。ディスクが挿入されると、先ず、ステップＳ３１でディスクを起動し、回転速度、トラッキング、フォーカシング等の各サーボをオンとしてステップＳ３２に移行する。
【０００９】
ステップＳ３２ではディスクのＴＯＣ情報を読み、次に、Ｓ３３において、絶対時間の００分０２秒１６フレーム（ＣＤ−ＲＯＭの基本ボリュームであるＴＮＯ１の存在する領域）にピックアップを移動してステップＳ３４に移行する。
【００１０】
ステップＳ３４では絶対時間の００分０２秒１６フレームのサブコードＱ（コントロールビットはサブコードＱに入っている）の読込み状態に入り、サブコードＱが正常に読込まれる状態ではステップＳ３５に移行し、サブコードが読込めなかったときはステップＳ４１に移行する。
【００１１】
ステップＳ３５ではサブコードＱを読込み、ステップＳ３６に移行してコントロールビットを識別する。ステップ００分０２秒１６フレームのコントロールビットが、オーディオデータである場合はステップＳ３７に移行し、デジタルデータである場合はステップＳ３９に移行する。
【００１２】
ステップＳ３７では再生機能をＣＤ−ＤＡ再生とし、次にステップＳ３８でＣＤ−ＤＡの再生動作に入る。ステップＳ３９では再生機能をＣＤ−ＲＯＭ再生とし、次にステップＳ４０でＣＤ−ＲＯＭの再生動作に入る。
【００１３】
ステップＳ４１ではディスクの種別が判断できなかったのでその旨を表示部に表示して再生を停止しする。
【００１４】
【発明が解決しようとする問題点】
上記した従来のＴＯＣ情報のコントロールビットでディスクを識別するものは、ＴＯＣに誤った情報が記録されている場合には誤判断してしまうという欠点があった。
【００１５】
また、データ記録領域のコントロールビットで判断するものは傷や汚れ等により情報が取得できない場合があり、この場合にはディスクを識別できなくなるという問題があった。
【００１６】
この発明は上記した点に鑑みてなされたものであって、その目的とするところは、ディスク種類識別の誤りやディスク種類識別不能となることが少なくなる光ディスク再生装置を提供することにある。
【００１７】
【課題を解決するための手段】
この発明の光ディスク装置は、ＣＤ−ＤＡおよびＣＤ−ＲＯＭの双方のディスクを再生する光ディスク再生装置において、ディスク挿入後、先ず、ＴＯＣ情報の所定トラックのサブコードのコントロールビットを読みＣＤ−ＤＡとＣＤ−ＲＯＭとを識別する情報をメモリに記憶し、次に、データ領域上の指定アドレスのサブコードのコントロールビットを読みその情報がＣＤ−ＤＡを示すときは挿入されたディスクがＣＤ−ＤＡであると判断し、前記データ領域上の指定アドレスのサブコードのコントロールビットの情報がＣＤ−ＲＯＭを示すときは挿入されたディスクがＣＤ−ＲＯＭであると判断し、前記データ領域上の指定アドレスのサブコードのコントロールビットが読込み不能であるときは、前記メモリに記憶されたコントロールビットの情報により挿入されたディスクを識別するように構成したものである。
【００１８】
また、この発明の光ディスク識別方法は、ＣＤ−ＤＡおよびＣＤ−ＲＯＭの双方のディスクを再生する光ディスク再生装置において、ディスク挿入後、先ず、ＴＯＣ情報の所定トラックのサブコードのコントロールビットを読みＣＤ−ＤＡとＣＤ−ＲＯＭとを識別する情報をメモリに記憶し、次に、データ領域上の指定アドレスのサブコードのコントロールビットを読みその情報がＣＤ−ＤＡを示すときは挿入されたディスクがＣＤ−ＤＡであると判断し、前記データ領域上の指定アドレスのサブコードのコントロールビットの情報がＣＤ−ＲＯＭを示すときは挿入されたディスクがＣＤ−ＲＯＭであると判断し、前記データ領域上の指定アドレスのサブコードのコントロールビットが読込み不能であるときは、前記メモリに記憶されたコントロールビットの情報により挿入されたディスクを識別するものである。
【００１９】
【実施例】
この発明の実施例である光ディスク装置を図面に基づいて説明する。図１に実施例の光ディスク装置の構成を示す。この光ディスク装置はＣＤ−ＤＡおよびＣＤ−ＲＯＭの双方のディスクを再生する光ディスク再生装置であり、これらのディスクはスピンドルモータ１の回転軸に固定されたターンテーブルにクランプされて回転される。
【００２０】
光ピックアップ２は対物レンズを駆動するアクチュエータ３を備えており、アクチュエータ３によりレーザスポットをディスクの記録トラックに対してトラッキングおよびフォーカシング制御を行いながら送り機構４により送られ再生したＲＦ信号をＲＦアンプ６に出力する。
【００２１】
ＲＦアンプ６は入力されたＲＦ信号を増幅して取り出した再生信号を復調部７に出力し、また、トラッキングエラー信号およびフォーカスエラー信号をサーボプロセッサ８に出力する。また、送り機構４は速度センサを備えており、速度信号をメカニズム制御用マイクロコンピュータ９に出力する。
【００２２】
サーボプロセッサ８はメカニズム制御用マイクロコンピュータ９からの指令も受けてトラッキング制御信号、フォーカシング制御信号、ピックアップ送り信号をドライバ５に出力する。ドライバ５は復調部７からの信号も入力され、アクチュエータ３にフォーカスコイル駆動信号およびトラッキングコイル駆動信号を出力し、また、スピンドルモータ１に駆動電流を出力する。
【００２３】
このようにアクチュエータ３、スピンドルモータ１および送り機構４が制御されることによりディスクの所望のアドレスが再生される。復調部７は再生信号からＣＩＲＣ（Ｃｒｏｓｓ　Ｉｎｔｅｒｌｅａｖｅｄ　Ｒｅｅｄ　Ｓｏｌｏｍｏｎ　Ｃｏｄｅ）をデコードし、さらに、これにより得られたＥＦＭ信号を復調し、デジタル・オーディオ信号をＤ／Ａコンバータ１０に出力し、デジタルデータをＣＤ−ＲＯＭデコーダ１１に出力し、サブコードをメカニズム制御用マイクロコンピュータ９に出力する。
【００２４】
Ｄ／Ａコンバータ１０はデジタル・オーディオ信号をアナログ・オーディオ信号に変換してＬ、Ｒのオーディオ信号を図示していないオーディオアンプに出力してスピーカを駆動する。
【００２５】
ＣＤ−ＲＯＭデコーダ１１はシステム制御用マイクロコンピュータ１４に制御されて、ＣＤ−ＲＯＭの信号をデコードしてデジタル信号処理部１２に出力する。デジタル信号処理部１２はシステム制御用マイクロコンピュータ１４に制御され、信号処理用メモリ１３を使用してデコードされたＣＤ−ＲＯＭの信号をデジタル・音声信号に変換してＤ／Ａコンバータ１６に出力する。Ｄ／Ａコンバータ１６はデジタル・オーディオ信号をアナログ・オーディオ信号に変換してオーディオアンプに出力してスピーカを駆動する。
【００２６】
メカニズム制御用マイクロコンピュータ９は入力されたサブコードをシステム制御用マイクロコンピュータ１４に出力する。システム制御用マイクロコンピュータ１４は入力されたサブコードをサブコード記憶用メモリ１５に一時的に記憶し、ディスク識別等に用いる。
【００２７】
次に、図２および図３を参照してこの発明の特徴部分であるディスク種別判定動作を説明する。ディスクが挿入されると、先ず、ステップＳ１でディスクを起動し、回転速度、トラッキング、フォーカシング等の各サーボをオンとしてステップＳ２に移行する。
【００２８】
ステップＳ２ではディスクのＴＯＣ情報を読み込みステップＳ３に移行し、ステップＳ３においてＴＯＣ情報のＴＮＯ１のコントロールビットがオーディオデータであるかデジタルデータであるかを判断し、オーディオデータである場合はステップＳ４に移行し、デジタルデータである場合はステップＳ５に移行する。
【００２９】
ステップＳ４では挿入されたディスクがＣＤ−ＤＡであるとの情報をメモリの所定アドレスに記憶してステップＳ６に移行する。ステップＳ５では挿入されたディスクがＣＤ−ＲＯＭであるとの情報をメモリの前記所定アドレスに記憶してステップＳ６に移行する。
【００３０】
ステップＳ６では、絶対時間の００分０２秒１６フレーム（ＣＤ−ＲＯＭの基本ボリュームであるＴＮＯ１の存在する領域）にピックアップを移動してステップＳ７に移行する。
【００３１】
ステップＳ７では絶対時間の００分０２秒１６フレームのサブコードＱの読込み状態に入り、サブコードＱが正常に読込まれる状態ではステップＳ８に移行し、サブコードが読込めなかったときはステップＳ１０に移行する。
【００３２】
ステップＳ８ではサブコードＱを読込み、ステップＳ９に移行してコントロールビットを識別する。ステップ９において、００分０２秒１６フレームのコントロールビットが、オーディオデータであると判断した場合はステップＳ１１に移行し、デジタルデータであると判断した場合はステップＳ１３に移行する。
【００３３】
なお、ＣＤ−ＲＯＭではトラックによりオーディオデータとデジタルデータが混在することがあるが、絶対時間の００分０２秒１６フレームはＣＤ−ＲＯＭの基本ボリュームが存在するためにそのコントロールビットはデジタルデータとなっている。ＣＤ−ＤＡは全てオーディオデータとなっている。
【００３４】
ステップＳ１０ではステップＳ４またはＳ５で記憶した所定アドレスの情報がＣＤ−ＤＡである場合はステップＳ１１に移行し、ＣＤ−ＲＯＭである場合はステップＳ１３に移行する。
【００３５】
ステップＳ１１では再生機能をＣＤ−ＤＡ再生とし、次にステップＳ１２でＣＤ−ＤＡの再生動作に入る。ステップＳ１３では再生機能をＣＤ−ＲＯＭ再生とし、次にステップＳ１４でＣＤ−ＲＯＭの再生動作に入る。
【００３６】
このように、ＮＯ１トラックのサブコードによる確実な情報によりディスクの種別が判断され、また、ＮＯ１トラックのサブコードが読み取り不能である場合にもＴＯＣ情報のサブコードによりディスク種別が判断されるので、ディスク識別の誤りやディスク識別不能となることが少なくなる。
【００３７】
【発明の効果】
この発明のディスク装置によれば、ＴＯＣ情報と、データエリア情報との両方を用いてディスク種別を判断するため、ＴＯＣの記録情報に誤りがある場合でもディスク種別を正しく判断することができ、また、データエリア情報でのサブコードが傷や汚れ等により読み取れなかった場合にもディスク種別を判断することが可能となる。
【図面の簡単な説明】
【図１】この発明の実施例であるディスク装置の構成を示すブロック図である。
【図２】この発明の実施例であるディスク装置のディスク種別判定動作を示すフローチャートである。
【図３】同ディスク装置のディスク種別判定動作の他の部分を示すフローチャートである。
【図４】従来のディスク装置のディスク種別判定動作を示すフローチャートである。
【図５】従来の他のディスク装置のディスク種別判定動作を示すフローチャートである。
【符号の説明】
１　スピンドルモータ
２　光ピックアップ
３　アクチュエータ
４　送り機構
５　ドライバ
６　ＲＦアンプ
７　復調部
８　サーボプロセッサ
９　メカニズム制御用マイクロコンピュータ
１０　Ｄ／Ａコンバータ
１１　ＣＤ−ＲＯＭデコーダ
１２　デジタル信号処理部
１３　信号処理用メモリ
１４　システム制御用マイクロコンピュータ
１５　サブコード記憶用メモリ
１６　Ｄ／Ａコンバータ
【図１】
2004046922.tif 000003
【図２】
2004046922.tif 000004
【図３】
2004046922.tif 000005
【図４】
2004046922.tif 000006
【図５】
2004046922.tif 000007